(57)【要約】      （修正有）【課題】ボタン操作が容易な携帯電話端末構造を提供する。【解決手段】ボタン操作が容易な携帯電話端末構造はボタン部と表示部を含む。該ボタン部と該表示部は共に該携帯電話端末構造の正面に設置し、該ボタン部は数字キーボードと方向設定キーボードを設置し、該表示部はディスプレー装置を設置する。該数字キーボードには複数個のボタンを設置し、しかも該各ボタン上にはすべて突出構造を設置する。該方向設定キーボードには複数のボタンを設置する。これにより、使用者は手の触感だけを利用し該数字キーボード上の該各ボタンを認識することができ、頭を下げ該数字キーボードを注視する必要はない。このような携帯電話端末構造の設計は人体の手の平の動作に、より一層符合している。【選択図】図２
0003142061.tif 000002
【実用新案登録請求の範囲】
【請求項１】
ボタン操作が容易な携帯電話端末構造はボタン部と表示部を含み、
該ボタン部と該表示部は共に該携帯電話端末の正面に設置し、該ボタン部は数字キーボードと方向設定キーボードを設置し、該表示部はディスプレー装置を設置し、該数字キーボードは複数のボタンを設置し、該各ボタンにはすべて突出構造を設置し、該方向設定キーボードには複数のボタンを設置することを特徴とするボタン操作が容易な携帯電話端末構造。
【請求項２】
前記数字キーボードの該各ボタンの該各突出構造は複数の異なる造型構造の突出構造を含むことを特徴とする請求項１記載のボタン操作が容易な携帯電話端末構造。
【請求項３】
前記ボタン部は該携帯電話端末構造の正面上方に設置し、該表示部は該携帯電話端末構造の正面下方に設置することを特徴とする請求項２記載のボタン操作が容易な携帯電話端末構造。
【請求項４】
前記数字キーボードの同一列或いは同一行の該各ボタン上の該各突出構造は、相同造型構造を備える該各突出構造であることを特徴とする請求項３記載のボタン操作が容易な携帯電話端末構造。
【請求項５】
前記携帯電話端末構造上にはさらに簡易発信装置を設置することを特徴とする請求項４記載のボタン操作が容易な携帯電話端末構造。
【請求項６】
前記簡易発信装置はボタンであることを特徴とする請求項５記載のボタン操作が容易な携帯電話端末構造。
【請求項７】
前記ディスプレー装置は液晶ディスプレー、或いは有機発光ディスプレーであることを特徴とする請求項６記載のボタン操作が容易な携帯電話端末構造。
【請求項８】
前記ボタン部は該携帯電話端末構造の正面上方に設置し、該表示部は該携帯電話端末構造の正面下方に設置することを特徴とする請求項１記載のボタン操作が容易な携帯電話端末構造。
【請求項９】
前記数字キーボードの該各突出構造は複数の異なる造型構造の突出構造を含むことを特徴とする請求項８記載のボタン操作が容易な携帯電話端末構造。
【請求項１０】
前記数字キーボードの同一列或いは同一行の該各ボタン上の該各突出構造は相同造型構造を備える該各突出構造であることを特徴とする請求項９記載のボタン操作が容易な携帯電話端末構造。
【請求項１１】
前記携帯電話端末構造上にはさらに簡易発信装置を設置することを特徴とする請求項１０記載のボタン操作が容易な携帯電話端末構造。
【請求項１２】
前記簡易発信装置はボタンであることを特徴とする請求項１１記載のボタン操作が容易な携帯電話端末構造。
【請求項１３】
前記ディスプレー装置は液晶ディスプレー、或いは有機発光ディスプレーであることを特徴とする請求項１２記載のボタン操作が容易な携帯電話端末構造。
【請求項１４】
ボタン操作が容易な携帯電話端末構造はボタン部と表示部を含み、
該ボタン部と該表示部は共に該携帯電話端末の正面に設置し、
該ボタン部は該携帯電話端末構造の正面上方に設置し、該表示部は該携帯電話端末構造の正面下方に設置し、
該ボタン部は数字キーボードと方向設定キーボードを設置し、該表示部はディスプレー装置を設置し、該数字キーボードは複数のボタンを設置し、該方向設定キーボードには複数のボタンを設置することを特徴とするボタン操作が容易な携帯電話端末構造。
【考案の詳細な説明】
【技術分野】
【０００１】
本考案はボタン操作が容易な携帯電話端末構造に関する。特にボタン操作が容易という特徴を備える携帯電話端末構造に係る。
【背景技術】
【０００２】
市販の携帯電話端末では、数字キーボードのボタン構造上に突出構造が設置されていない。そのため通常、携帯電話端末を使用し発信する時には、頭を下げ該数字キーボードを注視し、該各ボタンを確認しなければならない。しかし、運転中、或いは会議中、或いは公共の場所などのある特殊な場合に使用者がイヤホーンを使用しており、携帯電話端末により発信しようとする時には、頭を下げ携帯電話端末を注視することができない。それでも頭を下げ携帯電話端末を注視するなら、自動車走行を危険とし、或いは他人に対して失礼な状況が発生してしまう。
【０００３】
現在、絶対多数の携帯電話端末の設計においては、ディスプレーは携帯電話端末構造の正面上方に設置し、下方には方向設定キーボード、数字キーボード、及び他のボタンを設置する。よって普通、該携帯電話端末構造を使用する時の最初の直感的な反応として、多くは手中の携帯電話端末を親指により上方へと押し上げ、手の平により該携帯電話端末の重心を確実に掌握しようとする。こうして該携帯電話端末は安定的に該手の平の中心に握られ、該親指は該携帯電話端末の数字キーボードに置かれ、発信し、或いは関連する携帯電話端末操作の設定を行うことができる。
【０００４】
手が該携帯電話端末を移動させる動作は、該携帯電話端末構造のディスプレーと数字キーボード設置の位置により発生しており、人体工学の観点から使用者の手が携帯電話端末を握持する方式について考えられたものではないため、該不必要な動作の発生を招いている。これにより使用者は該携帯電話端末構造を取り出した瞬間に、該携帯電話端末の重心を確実に掌握できていないため、該携帯電話端末を不注意で落とし易く、損壊を招く恐れさえある。
【考案の開示】
【考案が解決しようとする課題】
【０００５】
本考案が解決しようとする課題は、一般に市販されている携帯電話端末構造の数字キーボード上には明確な突出設計が設置されていないため、携帯電話端末の使用時には、頭を下げ該数字キーボードを注視し該各ボタンを確認する必要があるが、それに対して本考案は数字キーボードのボタン上に設置する突出構造により、使用者は手の触感によってのみ、該各ボタンを識別可能となるため、頭を下げ該数字キーボードを注視し該各ボタンを確認する必要がなくなるボタン操作が容易な携帯電話端末構造を提供することである。
【０００６】
ボタン操作が容易な携帯電話端末構造はボタン部と表示部を含み、
該ボタン部と該表示部は共に該携帯電話端末構造の正面に設置し、該ボタン部は数字キーボードと方向設定キーボードを設置し、該表示部はディスプレー装置を設置し、
該数字キーボードには複数個のボタンを設置し、しかも該各ボタン上にはすべて突出構造を設置し、該各ボタン及びその突出構造は異なる突出造型構造或いは材質のラフ度、滑らかさの程度により区別する設計とすることができ、該方向設定キーボードには複数のボタンを設置する。
【課題を解決するための手段】
【０００７】
請求項１の考案は、ボタン操作が容易な携帯電話端末構造はボタン部と表示部を含み、  該ボタン部と該表示部は共に該携帯電話端末の正面に設置し、該ボタン部は数字キーボードと方向設定キーボードを設置し、該表示部はディスプレー装置を設置し、該数字キーボードは複数のボタンを設置し、該各ボタンにはすべて突出構造を設置し、該方向設定キーボードには複数のボタンを設置することを特徴とするボタン操作が容易な携帯電話端末構造としている。
請求項２の考案は、前記数字キーボードの該各ボタンの該各突出構造は複数の異なる造型構造の突出構造を含むことを特徴とする請求項１記載のボタン操作が容易な携帯電話端末構造としている。
請求項３の考案は、前記ボタン部は該携帯電話端末構造の正面上方に設置し、該表示部は該携帯電話端末構造の正面下方に設置することを特徴とする請求項２記載のボタン操作が容易な携帯電話端末構造としている。
請求項４の考案は、前記数字キーボードの同一列或いは同一行の該各ボタン上の該各突出構造は、相同造型構造を備える該各突出構造であることを特徴とする請求項３記載のボタン操作が容易な携帯電話端末構造としている。
請求項５の考案は、前記携帯電話端末構造上にはさらに簡易発信装置を設置することを特徴とする請求項４記載のボタン操作が容易な携帯電話端末構造としている。
請求項６の考案は、前記簡易発信装置はボタンであることを特徴とする請求項５記載のボタン操作が容易な携帯電話端末構造としている。
請求項７の考案は、前記ディスプレー装置は液晶ディスプレー、或いは有機発光ディスプレーであることを特徴とする請求項６記載のボタン操作が容易な携帯電話端末構造としている。
請求項８の考案は、前記ボタン部は該携帯電話端末構造の正面上方に設置し、該表示部は該携帯電話端末構造の正面下方に設置することを特徴とする請求項１記載のボタン操作が容易な携帯電話端末構造としている。
請求項９の考案は、前記数字キーボードの該各突出構造は複数の異なる造型構造の突出構造を含むことを特徴とする請求項８記載のボタン操作が容易な携帯電話端末構造としている。
請求項１０の考案は、前記数字キーボードの同一列或いは同一行の該各ボタン上の該各突出構造は相同造型構造を備える該各突出構造であることを特徴とする請求項９記載のボタン操作が容易な携帯電話端末構造としている。
請求項１１の考案は、前記携帯電話端末構造上にはさらに簡易発信装置を設置することを特徴とする請求項１０記載のボタン操作が容易な携帯電話端末構造としている。
請求項１２の考案は、前記簡易発信装置はボタンであることを特徴とする請求項１１記載のボタン操作が容易な携帯電話端末構造としている。
請求項１３の考案は、前記ディスプレー装置は液晶ディスプレー、或いは有機発光ディスプレーであることを特徴とする請求項１２記載のボタン操作が容易な携帯電話端末構造としている。
請求項１４の考案は、ボタン操作が容易な携帯電話端末構造はボタン部と表示部を含み、
該ボタン部と該表示部は共に該携帯電話端末の正面に設置し、
該ボタン部は該携帯電話端末構造の正面上方に設置し、該表示部は該携帯電話端末構造の正面下方に設置し、
該ボタン部は数字キーボードと方向設定キーボードを設置し、該表示部はディスプレー装置を設置し、該数字キーボードは複数のボタンを設置し、該方向設定キーボードには複数のボタンを設置することを特徴とするボタン操作が容易な携帯電話端末構造としている。
【考案の効果】
【０００８】
上記のように、本考案は数字キーボードのボタン上に設置する突出構造により、使用者は手の触感によってのみ、各ボタンを識別可能となるため、頭を下げ数字キーボードを注視し各ボタンを確認する必要がなくなり、ボタン操作は容易となる。
【考案を実施するための最良の形態】
【０００９】
図１〜図８に示すように、本考案ボタン操作が容易な携帯電話端末構造１１は、ボタン部と表示部を含む。該ボタン部と該表示部は共に該携帯電話端末構造１１の正面に設置する。該ボタン部は該携帯電話端末構造１１の正面上方に設置し、該表示部は該携帯電話端末構造１１の正面下方に設置する。該ボタン部は数字キーボード２１１と方向設定キーボード４１を設置し、該表示部はディスプレー装置を設置する。該ディスプレー装置は液晶ディスプレー(LCD)５１であるが、該ディスプレー装置は有機発光ディスプレー(OLED)を使用することもできる。該携帯電話端末構造１１上にはさらに簡易発信装置を設置し、該簡易発信装置はボタン６１である。
【００１０】
該ボタン部を該携帯電話端末構造１１の正面上方に設置するため、該ディスプレー装置が該携帯電話端末構造１１の正面下方に設置される方式は、使用者にとって最も直接的で最も自然な方式により、携帯電話端末を握持可能とし、これにより該携帯電話端末構造１１の重心を直接握持することができる。こうして該携帯電話端末は手の平の中心に安定的に握持され、携帯電話端末を親指により押し上げ位置を調整する必要がなくなり、携帯電話端末が不注意で落下し損壊する危険を大幅に低減することができる。
同時に、携帯電話端末を握持する時、親指は該携帯電話端末のボタン部の位置に自然にかつ直接置かれ、こうして発信或いは携帯電話端末の関連操作設定を直接行うことができるようになる。この種のボタン部が上でディスプレー装置が下である設置は、該携帯電話端末の重心位置を人体工学による手の握持方式に符合させることができ、しかも使用者が片手で携帯電話端末を操作する時の手の動作に適している。公知の携帯電話端末７は片手で操作する時、使用者の手の平は該公知の携帯電話端末７の全体構造を完全に握持することができないため、該公知の携帯電話端末７の全体構造の重心を確実に握持することができない。よって、該公知の携帯電話端末７を操作する時には、不注意による落下が起き易く、携帯電話端末が損壊してしまう状況さえ発生し易い。
【００１１】
携帯電話端末構造１１の簡易発信装置と携帯電話端末内部のソフト、ハードウエアシステムの対応を通して、使用者は携帯電話端末により常用する電話番号の簡易コードを予め設定しておくだけで、発信しようとする時には、使用者はただ該簡易発信装置を押すだけで、簡易コードにより必要な電話番号に発信することができる。
【００１２】
該ボタン部は３×４(三行四列)個の数字キーボード２１１と１個の方向設定キーボード４１を設置する。該数字キーボード２１１は１２個のボタン２１１１、２１１２、２１１３、２１１４、２１１５、２１１６、２１１７、２１１８、２１１９、２１１a、２１１０、２１１bを設置する。該各ボタン２１１１、２１１２、２１１３、２１１４、２１１５、２１１６、２１１７、２１１８、２１１９、２１１a、２１１０、２１１b上にはすべて突出構造３１１、３１２、３１３を設置する。しかも該数字キーボード２１１の同一行の該４個のボタン２１１１、２１１４、２１１７、２１１a、及び２１１２、２１１５、２１１８、２１１０、及び２１１３、２１１６、２１１９、２１１b上の該各突出構造３１１、３１２、３１３は、相同造型構造の該各突出構造３１１、３１２、３１３を備える。よって、該１２個のボタン２１１１、２１１２、２１１３、２１１４、２１１５、２１１６、２１１７、２１１８、２１１９、２１１a、２１１０、２１１bの該各突出構造３１１、３１２、３１３は３個の異なる造型構造の突出構造３１１、３１２、３１３を含む。該数字キーボード２１１の該１２個のボタン２１１１、２１１２、２１１３、２１１４、２１１５、２１１６、２１１７、２１１８、２１１９、２１１a、２１１０、２１１bは、０〜９までの合計１０個のボタン２１１０、２１１１、２１１２、２１１３、２１１４、２１１５、２１１６、２１１７、２１１８、２１１９と「＊」及び「＃」の２個の符号ボタン２１１a、２１１bを含む。該方向設定キーボード４１は７個のボタン４１１、４１２、４１３、４１４、４１５、４１６、４１７を設置し、該４個の方向ボタン４１１、４１２、４１３、４１４と３個の設定ボタン４１５、４１６、４１７を含む。
【００１３】
もし該数字キーボード２１２の該１２個のボタン２１２１、２１２２、２１２３、２１２４、２１２５、２１２６、２１２７、２１２８、２１２９、２１２a、２１２０、２１２b上の該各突出構造３１１、３１２、３１３、３１４が、該数字キーボード２１２の同一列の該３個のボタン２１２１、２１２２、２１２３、及び２１２４、２１２５、２１２６、及び２１２７、２１２８、２１２９、及び２１２a、２１２０、２１２b上の該各突出構造３１１、３１２、３１３、３１４であるなら、相同造型構造の該各突出構造３１１、３１２、３１３、３１４を備える。すなわち、該１２個のボタン２１１１、２１１２、２１１３、２１１４、２１１５、２１１６、２１１７、２１１８、２１１９、２１１a、２１１０、２１１bの該各突出構造３１１、３１２、３１３、３１４は４個の異なる造型構造の突出構造３１１、３１２、３１３、３１４を含む。
【００１４】
該ボタン部の数字キーボード２１１上の関連ボタン２１１１、２１１２、２１１３、２１１４、２１１５、２１１６、２１１７、２１１８、２１１９、２１１a、２１１０、２１１bの突出構造３１１、３１２、３１３の設置により、使用者は携帯電話端末を握持する時、親指の触感のみを利用し、該各ボタン２１１１、２１１２、２１１３、２１１４、２１１５、２１１６、２１１７、２１１８、２１１９、２１１a、２１１０、２１１bを確認することができる。これにより頭を下げ該数字ボタン２１１を注視し、該各ボタン２１１１、２１１２、２１１３、２１１４、２１１５、２１１６、２１１７、２１１８、２１１９、２１１a、２１１０、２１１bを確認する必要がなくなる。運転中、或いは会議中、或いは公共の場所などのある特殊な場合に使用者がイヤホーンを使用していても、親指の触感により直接発信を行うことができ、頭を下げ携帯電話端末を注視する必要はなく、視線を一切偏移させる必要もない。よって自動車走行の安全が確保でき、或いは他人に対して失礼な状況の発生を回避することができる。頭を下げ該数字キーボードを注視する必要がなく、手の触感だけを利用し携帯電話端末から電話をかけることができるため、伝統的な携帯電話端末の使用方式に対して、革命的な影響と変化をもたらすものとなるだろう。そしてこれにより、より便利で、より多様化した携帯電話端末の使用方式を提供することができる。例えば、寒冷な気候においては、両手を暖かなポケットから取り出すことなく、親指の触感だけを利用しポケットの中で電話をかけることができ、或いは人に知られずにこっそりと携帯電話端末を使用することもできる。さらには、手をポケットから出すことなく電話をかけることができるため、携帯電話端末の置き忘れ、遺失といった状況の発生を大幅に減少させることができる。
【００１５】
図９〜図１３に示すように、本考案ボタン操作が容易な携帯電話端末構造１２は、ボタン部と表示部を含む。該ボタン部と該表示部は共に該携帯電話端末構造１２の正面に設置する。該ボタン部は該携帯電話端末構造１２の正面上方に設置し、該表示部は該携帯電話端末構造１２の正面下方に設置する。該ボタン部は数字キーボード２２と方向設定キーボード４２を設置し、該表示部はディスプレー装置を設置する。該ディスプレー装置は液晶ディスプレー(LCD)５２であるが、該ディスプレー装置は有機発光ディスプレー(OLED)を使用することもできる。該携帯電話端末構造１２上にはさらに簡易発信装置を設置し、該簡易発信装置はボタン６２である。
【００１６】
該ボタン部は数字キーボード２２と方向設定キーボード４２を設置する。該数字キーボード２２は１２個のボタン２２１、２２２、２２３、２２４、２２５、２２６、２２７、２２８、２２９、２２a、２２０、２２bを設置する。該１２個のボタンは０〜９までの合計１０個のボタン２２０、２２１、２２２、２２３、２２４、２２５、２２６、２２７、２２８、２２９と「＊」及び「＃」の２個の符号ボタン２２a、２２bを含む。該方向設定キーボード４２は７個のボタン４２１、４２２、４２３、４２４、４２５、４２６、４２７を設置し、該４個の方向ボタン４２１、４２２、４２３、４２４と３個の設定ボタン４２５、４２６、４２７を含む。
【００１７】
該ボタン部を該携帯電話端末構造１２の正面上方に設置するため、該ディスプレー装置が該携帯電話端末構造１２の正面下方に設置される方式は、使用者にとって最も直接的で最も自然な方式により、携帯電話端末を握持可能とし、これにより該携帯電話端末構造１２の重心を直接握持することができる。こうして該携帯電話端末は手の平の中心に安定的に握持され、携帯電話端末を親指により押し上げ位置を調整する必要がなくなり、携帯電話端末が不注意で落下し損壊する危険を大幅に低減することができる。
同時に、携帯電話端末を握持する時、親指は該携帯電話端末のボタン部の位置に自然にかつ直接置かれ、こうして発信或いは携帯電話端末の関連操作設定を直接行うことができるようになる。この種のボタン部が上でディスプレー装置が下である設置は、該携帯電話端末の重心位置を人体工学による手の握持方式に符合させることができ、しかも使用者が片手で携帯電話端末を操作する時の手の動作に適している。公知の携帯電話端末７は片手で操作する時、使用者の手の平は該公知の携帯電話端末７の全体構造を完全に握持することができないため、該公知の携帯電話端末７の全体構造の重心を確実に握持することができない。よって、該公知の携帯電話端末７を操作する時には、不注意による落下が起き易く、携帯電話端末が損壊してしまう状況さえ発生し易い。
【００１８】
該携帯電話端末構造１２の簡易発信装置と携帯電話端末内部のソフト、ハードウエアシステムの対応を通して、使用者は携帯電話端末により常用する電話番号の簡易コードを予め設定しておくだけで、発信しようとする時には、使用者はただ該簡易発信装置を押すだけで、簡易コードにより必要な電話番号に発信することができる。
【００１９】
図１４〜図１９に示すように、本考案ボタン操作が容易な携帯電話端末構造１３は、ボタン部と表示部を含む。該ボタン部と該表示部は共に該携帯電話端末構造１３の正面に設置する。該ボタン部は数字キーボード２３１と方向設定キーボード４３を設置し、該表示部はディスプレー装置を設置する。該ディスプレー装置は液晶ディスプレー(LCD)５３であるが、該ディスプレー装置は有機発光ディスプレー(OLED)を使用することもできる。該携帯電話端末構造１３上にはさらに簡易発信装置を設置し、該簡易発信装置はボタン６３である。
【００２０】
該携帯電話端末構造１３の簡易発信装置と携帯電話端末内部のソフト、ハードウエアシステムの対応を通して、使用者は携帯電話端末により常用する電話番号の簡易コードを予め設定しておくだけで、発信しようとする時には、使用者はただ該簡易発信装置を押すだけで、簡易コードにより必要な電話番号に発信することができる。
【００２１】
該ボタン部は３×４(三行四列)個の数字キーボード２３１と１個の方向設定キーボード４３を設置する。該数字キーボード２３１は１２個のボタン２３１１、２３１２、２３１３、２３１４、２３１５、２３１６、２３１７、２３１８、２３１９、２３１a、２３１０、２３１bを設置する。該ボタン上にはすべて突出構造３３１、３３２、３３３を設置し、しかも該数字キーボードの同一行の該４個のボタン２３１１、２３１４、２３１７、２３１a、及び２３１２、２３１５、２３１８、２３１０、及び２３１３、２３１６、２３１９、２３１b上の該各突出構造３３１、３３２、３３３は、相同造型構造の該各突出構造３３１、３３２、３３３を備える。よって、該１２個のボタン２３１１、２３１２、２３１３、２３１４、２３１５、２３１６、２３１７、２３１８、２３１９、２３１a、２３１０、２３１bの該各突出構造３３１、３３２、３３３は３個の異なる造型構造の突出構造３３１、３３２、３３３を含む。該数字キーボード２３１の該１２個のボタン２３１１、２３１２、２３１３、２３１４、２３１５、２３１６、２３１７、２３１８、２３１９、２３１a、２３１０、２３１bは０〜９までの合計１０個のボタン２３１０、２３１１、２３１２、２３１３、２３１４、２３１５、２３１６、２３１７、２３１８、２３１９と「＊」及び「＃」の２個の符号ボタン２３１a、２３１bを含む。
該方向設定キーボード４３は７個のボタン４３１、４３２、４３３、４３４、４３５、４３６、４３７を設置し、該４個の方向ボタン４３１、４３２、４３３、４３４と３個の設定ボタン４３５、４３６、４３７を含む。
【００２２】
該数字キーボード２３２の該１２個のボタン２３１１、２３１２、２３１３、２３１４、２３１５、２３１６、２３１７、２３１８、２３１９、２３１a、２３１０、２３１b上の該各突出構造３３１、３３２、３３３が、該数字キーボード２３２の同一列の該３個のボタン２３２１、２３２２、２３２３、及び２３２４、２３２５、２３２６、及び２３２７、２３２８、２３２９、及び２３２a、２３２０、２３２b上の該各突出構造３３２、３３１、３３３、３３４であるなら、相同造型構造の該各突出構造３３２、３３１、３３３、３３４を備える。すなわち、該１２個のボタン２３１１、２３１２、２３１３、２３１４、２３１５、２３１６、２３１７、２３１８、２３１９、２３１a、２３１０、２３１bの該各突出構造３３１、３３２、３３３、３３４は４個の異なる造型構造の突出構造３３１、３３２、３３３、３３４を含む。
【００２３】
該ボタン部の数字キーボード２３１上の関連ボタン２３１１、２３１２、２３１３、２３１４、２３１５、２３１６、２３１７、２３１８、２３１９、２３１a、２３１０、２３１bの突出構造３３１、３３２、３３３の設置により、使用者は携帯電話端末を握持する時、親指の触感だけを利用し、該各ボタン２３１１、２３１２、２３１３、２３１４、２３１５、２３１６、２３１７、２３１８、２３１９、２３１a、２３１０、２３１bを確認することができ、頭を下げ該数字ボタン２３１を注視し、該各ボタン２３１１、２３１２、２３１３、２３１４、２３１５、２３１６、２３１７、２３１８、２３１９、２３１a、２３１０、２３１bを確認する必要はない。運転中、或いは会議中、或いは公共の場所などのある特殊な場合に使用者がイヤホーンを使用していても、親指の触感により直接発信を行うことができ、頭を下げ携帯電話端末を注視する必要はなく、視線を一切偏移させる必要もない。よって自動車走行の安全が確保でき、或いは他人に対して失礼な状況の発生を回避することができる。頭を下げ該数字キーボード２３１を注視する必要がなく、手の触感だけを利用し携帯電話端末から電話をかけることができるため、伝統的な携帯電話端末の使用方式に対して、革命的な影響と変化をもたらすものとなるだろう。そしてこれにより、より便利で、より多様化した携帯電話端末の使用方式を提供することができる。例えば、寒冷な気候においては、両手を暖かなポケットから取り出すことなく、親指の触感だけを利用しポケットの中で電話をかけることができ、或いは人に知られずにこっそりと携帯電話端末を使用することもできる。さらには、手をポケットから出すことなく電話をかけることができるため、携帯電話端末の置き忘れ、遺失といった状況の発生を大幅に減少させることができる。
【図面の簡単な説明】
【００２４】
【図１】本考案の外観図（一）である。
【図２】本考案の数字キーボードの概略図（一）である。
【図３】本考案の数字キーボードの断面図（一）である。
【図４】本考案の数字キーボードの概略図（二）である。
【図５】本考案の数字キーボードの断面図（二）である。
【図６】本考案の方向設定キーボードの概略図（一）である。
【図７】本考案の実施例図（一）である。
【図８】本考案と公知携帯電話端末の実施例比較図（一）である。
【図９】本考案の外観図（二）である。
【図１０】本考案の数字キーボードの概略図（三）である。
【図１１】本考案の方向設定キーボードの概略図（二）である。
【図１２】本考案の実施例図（二）である。
【図１３】本考案と公知携帯電話端末の実施例比較図（二）である。
【図１４】本考案の外観図（三）である。
【図１５】本考案の数字キーボードの概略図（四）である。
【図１６】本考案の数字キーボードの断面図（三）である。
【図１７】本考案の数字キーボードの概略図（五）である。
【図１８】本考案の数字キーボードの断面図（四）である。
【図１９】本考案の方向設定キーボードの概略図（三）である。
【符号の説明】
【００２５】
１１  携帯電話端末構造
５１  液晶ディスプレー(LCD)
６１  ボタン
３１１、３１２、３１３、３１４  突出構造
２１１  数字キーボード
２１１０、２１１１、２１１２、２１１３、２１１４、２１１５、２１１６、２１１７、２１１８、２１１９  ボタン
２１１a、２１１b  ボタン
２１２  数字キーボード
２１２０、２１２１、２１２２、２１２３、２１２４、２１２５、２１２６、２１２７、２１２８、２１２９  ボタン
２１２a、２１２b  ボタン
４１  方向設定キーボード
４１１、４１２、４１３、４１４  ボタン
４１５、４１６、４１７  ボタン
１２  携帯電話端末構造
５２  液晶ディスプレー(LCD)
６２  ボタン
２２  数字キーボード
２２０、２２１、２２２、２２３、２２４、２２５、２２６、２２７、２２８、２２９  ボタン
２２a、２２b  ボタン
４２  方向設定キーボード
４２１、４２２、４２３、４２４  ボタン
４２５、４２６、４２７  ボタン
１３  携帯電話端末構造
５３  液晶ディスプレー(LCD)
６３  ボタン
３３１、３３２、３３３、３３４  突出構造
２３１  数字キーボード
２３１０、２３１１、２３１２、２３１３、２３１４、２３１５、２３１６、２３１７、２３１８、２３１９  ボタン
２３１a、２３１b  ボタン
２３２  数字キーボード
２３２０、２３２１、２３２２、２３２３、２３２４、２３２５、２３２６、２３２７、２３２８、２３２９  ボタン
２３２a、２３２b  ボタン
４３  方向設定キーボード
４３１、４３２、４３３、４３４  ボタン
４３５、４３６、４３７  ボタン
７  公知の携帯電話端末
【図１】
0003142061.tif 000003
【図２】
0003142061.tif 000004
【図３】
0003142061.tif 000005
【図４】
0003142061.tif 000006
【図５】
0003142061.tif 000007
【図６】
0003142061.tif 000008
【図７】
0003142061.tif 000009
【図８】
0003142061.tif 000010
【図９】
0003142061.tif 000011
【図１０】
0003142061.tif 000012
【図１１】
0003142061.tif 000013
【図１２】
0003142061.tif 000014
【図１３】
0003142061.tif 000015
【図１４】
0003142061.tif 000016
【図１５】
0003142061.tif 000017
【図１６】
0003142061.tif 000018
【図１７】
0003142061.tif 000019
【図１８】
0003142061.tif 000020
【図１９】
0003142061.tif 000021